(57)【要約】【課題】ユーザを特定する情報が写真シール作成装置に関連付けられたサーバに送信される一連の工程において、ユーザの負担を軽減する。【解決手段】写真シール作成装置（１）は、写真を撮影して編集し、写真シールを出力するサービスを提供する写真シール作成装置（１）であって、表示部（１６１）と、表示制御部（２３１）とを備え、前記表示制御部（２３１）は、前記サービスにおいて撮像された写真を特定するための第１の情報を含む識別コードを前記表示部（１６１）に表示させ、前記識別コードは、当該識別コードを読み取った端末装置の表示画面を、前記第１の情報を含む第２の情報であって、前記端末装置（６）を有するユーザを特定するための第２の情報を前記写真シール作成装置に関連付けられたサーバ（４）に対して送信するための画面に遷移させるためのものであることを特徴とする。【選択図】図１３
2020201585.tif 000002
【特許請求の範囲】
【請求項１】
写真を撮影して編集し、写真シールを出力するサービスを提供する写真シール作成装置であって、
表示部と、表示制御部とを備え、
前記表示制御部は、前記サービスにおいて撮像された写真を特定するための第１の情報を含む識別コードを前記表示部に表示させ、
前記識別コードは、
当該識別コードを読み取った端末装置の表示画面を、前記第１の情報を含む第２の情報であって、前記端末装置を有するユーザを特定するための第２の情報を前記写真シール作成装置に関連付けられたサーバに対して送信するための画面に遷移させるためのものである
ことを特徴とする写真シール作成装置。
【請求項２】
前記第２の情報は、
件名、本文、又は送信先となるアドレスのうち少なくとも何れかに前記第１の情報が含まれるメールであり、
前記サーバは、メールアドレスによって前記ユーザを特定する
ことを特徴とする請求項１に記載の写真シール作成機。
【請求項３】
前記表示制御部は、
前記端末装置にインストールされた所定のアプリケーションであって、所定のサービスに対するログインが可能なアプリケーションを介して当該識別コードが読み取られた場合に前記端末装置の表示画面を遷移させるための識別コードを前記表示部に表示させ、
前記識別コードは、
前記ユーザを特定するための情報として前記ログインに使用されるアカウントＩＤを含む前記第２の情報を送信するための画面に遷移させるものである
ことを特徴とする請求項１に記載の写真シール作成装置。
【請求項４】
写真を撮影して編集し、写真シールを出力するサービスを提供する写真シール作成装置であって、
表示部と、
ユーザの入力操作を受け付ける入力受付部と、
メールアドレスのドメインパートを選択するための第１の画面と、メールアドレスのローカルパートを入力するための第２の画面とを、互いに異なるタイミングで前記表示部に表示させる表示制御部とを備え、
前記第１の画面は、
各ドメインに対応する１又は複数の第１のＵＩオブジェクトを所定の領域内に含み、且つ、メールを受信可能な端末装置の種別に対応する複数の第２のＵＩオブジェクトを含み、
前記表示制御部は、
前記入力受付部が前記第２のＵＩオブジェクトに対する選択を受け付けた場合に、前記所定の領域に含まれる１又は複数の第１のＵＩオブジェクトを、前記選択された第２のＵＩオブジェクトに対応する種別の端末装置において利用可能なドメインに対応するものに切り替えて表示する
ことを特徴とする写真シール作成装置。
【請求項５】
前記表示制御部は、
前記第１の画面に、表示中の画面が前記第１の画面であることを示す情報を表示させ、且つ、前記第２の画面に、表示中の画面が前記第２の画面であることを示す情報を表示させる
ことを特徴とする請求項４に記載の写真シール作成装置。
【請求項６】
前記入力受付部は、複数のユーザの入力操作を並行して受け付け、
前記表示制御部は、
メールアドレスの入力を行う各ユーザに対応する前記第１の画面および前記第２の画面の何れかを、表示部に複数同時に表示させる
ことを特徴とする請求項４又は５に記載の写真シール作成装置。
【請求項７】
前記第２の情報の送信元である前記端末装置に対して、前記サービスにおいて撮像された写真の保存を提示するための第３の情報を送信する
ことを特徴とする請求項１に記載のサーバ。
【請求項８】
写真を撮影して編集し、写真シールを出力するサービスを提供する写真シール作成装置によって実現されるメールアドレスの入力画面の表示方法であって、
ユーザの入力操作を受け付ける入力受付ステップと、
メールアドレスのドメインパートを選択するための第１の画面と、メールアドレスのローカルパートを入力するための第２の画面とを、互いに異なるタイミングでディスプレイに表示させる表示ステップとを含み、
前記第１の画面は、
各ドメインに対応する１又は複数の第１のＵＩオブジェクトを所定の領域内に含み、且つ、メールを受信可能な端末装置の種別に対応する複数の第２のＵＩオブジェクトを含み、
前記表示ステップにおいては、
前記入力受付ステップにおいて前記第２のＵＩオブジェクトに対する選択を受け付けた場合に、前記所定の領域に含まれる１又は複数の第１のＵＩオブジェクトを、前記選択された第２のＵＩオブジェクトに対応する種別の端末装置において利用可能なドメインに対応するものに切り替えて表示する
ことを特徴とする表示方法。
【請求項９】
請求項１に記載の写真シール作成装置としてコンピュータを機能させるための制御プログラムであって、上記表示部、および上記表示制御部としてコンピュータを機能させるための制御プログラム。
【請求項１０】
請求項４に記載の写真シール作成装置としてコンピュータを機能させるための制御プログラムであって、上記表示部、上記入力受付部、および上記表示制御部としてコンピュータを機能させるための制御プログラム。
【請求項１１】
請求項９に記載の制御プログラムを記録したコンピュータ読み取り可能な記録媒体。
【請求項１２】
請求項１０に記載の制御プログラムを記録したコンピュータ読み取り可能な記録媒体。
【発明の詳細な説明】
【技術分野】
【０００１】
本発明は、被写体を撮影した撮影画像またはその編集画像である画像データを管理する写真管理サービスに係る写真シール作成装置などに関する。
【背景技術】
【０００２】
近年、写真シール作成装置において生成された撮影画像データをユーザに提供するサービスとして、写真の印刷されたプリントシールをユーザに提供するサービスと合わせて、ユーザの所有する携帯端末に撮影画像を表示させることによって画像をユーザに提供するサービスが広がってきている。
【０００３】
このようなサービスは、画像提供サイトにアクセスすることによって可能となる。画像提供サイトでは、写真シール作成装置にて撮影した撮影画像のうち、ユーザによって指定された画像を保存し、ユーザに閲覧可能としている。
【０００４】
また、このようなサービスにおいては、例えば、画像提供サイトを利用するユーザが自身を特定するための情報を写真シール作成装置に対して入力し、当該情報が写真シール作成装置に関連付けられたサーバに送信される工程が設けられ得る。特許文献１では、ユーザが画像データを取得し易くできる管理装置等が開示されている。
【先行技術文献】
【特許文献】
【０００５】
【特許文献１】特開２０１８−３６４９７号公報（２０１８年３月８日公開）
【発明の概要】
【発明が解決しようとする課題】
【０００６】
上述のようなサービスにおいては、ユーザを特定する情報が写真シール作成装置に関連付けられたサーバに送信される一連の工程において、ユーザの負担を軽減できる余地がある。
【０００７】
本発明の一態様は、上記の問題に鑑みてなされたものであり、ユーザを特定する情報が写真シール作成装置に関連付けられたサーバに送信される一連の工程において、ユーザの負担を軽減することを目的とする。
【課題を解決するための手段】
【０００８】
上記の課題を解決するために、本発明の一態様に係る写真シール作成装置は、写真を撮影して編集し、写真シールを出力するサービスを提供する写真シール作成装置であって、  表示部と、表示制御部とを備え、前記表示制御部は、前記サービスにおいて撮像された写真を特定するための第１の情報を含む識別コードを前記表示部に表示させ、前記識別コードは、当該識別コードを読み取った端末装置の表示画面を、前記第１の情報を含む第２の情報であって、前記端末装置を有するユーザを特定するための第２の情報を前記写真シール作成装置に関連付けられたサーバに対して送信するための画面に遷移させるためのものであることを特徴としている。前記の構成によれば、ユーザを特定する情報が写真シール作成装置に関連付けられたサーバに送信される一連の工程において、ユーザの負担を軽減することができる。
【０００９】
本発明の一態様に係る写真シール作成装置では、前記第２の情報は、件名、本文、又は送信先となるアドレスのうち少なくとも何れかに前記第１の情報が含まれるメールであり、前記サーバは、メールアドレスによって前記ユーザを特定するものであってもよい。前記の構成によれば、ユーザがメールアドレスを入力する負担を軽減することができる。
【００１０】
本発明の一態様に係る写真シール作成装置では、前記表示制御部は、前記端末装置にインストールされた所定のアプリケーションであって、所定のサービスに対するログインが可能なアプリケーションを介して当該識別コードが読み取られた場合に前記端末装置の表示画面を遷移させるための識別コードを前記表示部に表示させ、前記識別コードは、前記ユーザを特定するための情報として前記ログインに使用されるアカウントＩＤを含む前記第２の情報を送信するための画面に遷移させるものであってもよい。前記の構成によれば、ユーザを特定するための情報として、所定のサービスのアカウントＩＤをサーバに送信するための写真シール作成装置を実現できる。
【００１１】
上記の課題を解決するために、本発明の一態様に係る写真シール作成装置は、写真を撮影して編集し、写真シールを出力するサービスを提供する写真シール作成装置であって、表示部と、ユーザの入力操作を受け付ける入力受付部と、メールアドレスのドメインパートを選択するための第１の画面と、メールアドレスのローカルパートを入力するための第２の画面とを、互いに異なるタイミングで前記表示部に表示させる表示制御部とを備え、前記第１の画面は、各ドメインに対応する１又は複数の第１のＵＩオブジェクトを所定の領域内に含み、且つ、メールを受信可能な端末装置の種別に対応する複数の第２のＵＩオブジェクトを含み、前記表示制御部は、前記入力受付部が前記第２のＵＩオブジェクトに対する選択を受け付けた場合に、前記所定の領域に含まれる１又は複数の第１のＵＩオブジェクトを、前記選択された第２のＵＩオブジェクトに対応する種別の端末装置において利用可能なドメインに対応するものに切り替えて表示することを特徴としている。前記の構成によれば、前記の構成によれば、ユーザを特定するメールアドレスが写真シール作成装置に関連付けられたサーバに送信される一連の工程において、ユーザの負担を軽減することができる。
【００１２】
本発明の一態様に係る写真シール作成装置では、前記表示制御部は、前記第１の画面に、表示中の画面が前記第１の画面であることを示す情報を表示させ、且つ、前記第２の画面に、表示中の画面が前記第２の画面であることを示す情報を表示させてもよい。前記の構成によれば、写真シール作成装置において表示されている画面が何れの画面であるかをユーザが容易に把握することができる。
【００１３】
上記課題を解決するために、本発明の一態様に係る写真シール作成装置は、前記入力受付部は、複数のユーザの入力操作を並行して受け付け、前記表示制御部は、メールアドレスの入力を行う各ユーザに対応する前記第１の画面および前記第２の画面の何れかを、表示部に複数同時に表示させてもよい。前記の構成によれば、少ない負担で複数のユーザが同時にメールアドレスを入力することができる。
【００１４】
上記の課題を解決するために、本発明の一態様に係るサーバは、前記第２の情報の送信元である前記端末装置に対して、前記サービスにおいて撮像された写真の保存を提示するための第３の情報を送信してもよい。前記の構成によれば、特定したユーザに写真の保存を提示することができるサーバを実現できる。
【００１５】
上記課題を解決するために、本発明の一態様に係るメールアドレスの入力画面の表示方法は、写真を撮影して編集し、写真シールを出力するサービスを提供する写真シール作成装置によって実現されるメールアドレスの入力画面の表示方法であって、ユーザの入力操作を受け付ける入力受付ステップと、メールアドレスのドメインパートを選択するための第１の画面と、メールアドレスのローカルパートを入力するための第２の画面とを、互いに異なるタイミングでディスプレイに表示させる表示ステップとを含み、前記第１の画面は、各ドメインに対応する１又は複数の第１のＵＩオブジェクトを所定の領域内に含み、且つ、メールを受信可能な端末装置の種別に対応する複数の第２のＵＩオブジェクトを含み、前記表示ステップにおいては、前記入力受付ステップにおいて前記第２のＵＩオブジェクトに対する選択を受け付けた場合に、前記所定の領域に含まれる１又は複数の第１のＵＩオブジェクトを、前記選択された第２のＵＩオブジェクトに対応する種別の端末装置において利用可能なドメインに対応するものに切り替えて表示することを特徴としている。
前記の方法によれば、ユーザを特定するメールアドレスが写真シール作成装置に関連付けられたサーバに送信される一連の工程において、ユーザの負担を軽減することができる。
【００１６】
本発明の各態様に係る写真シール作成装置およびサーバは、コンピュータによって実現してもよく、この場合には、コンピュータを上記写真シール作成装置または上記サーバが備える各部（ソフトウェア要素）として動作させることにより上記写真シール作成装置または上記サーバをコンピュータにて実現させる上記写真シール作成装置および上記サーバの制御プログラム、およびそれを記録したコンピュータ読み取り可能な記録媒体も、本発明の範疇に入る。
【発明の効果】
【００１７】
本発明の一態様によれば、ユーザを特定する情報が写真シール作成装置に関連付けられたサーバに送信される一連の工程において、ユーザの負担を軽減することができる。
【図面の簡単な説明】
【００１８】
【図１】本発明の実施形態に係る管理サーバの要部構成を示すブロック図である。
【図２】本発明の実施形態に係る撮影画像管理システムの構成を示す図である。
【図３】本発明の実施形態に係る写真シール作成装置の外観の構成例を示す斜視図である。
【図４】本発明の実施形態に係る写真シール作成装置の外観を他の角度からみた斜視図である。
【図５】本発明の実施形態におけるユーザの移動について説明する図である。
【図６】本発明の実施形態に係る写真シール作成装置に備えられる撮影部の構成例を示す図である。
【図７】本発明の実施形態に係る写真シール作成装置に備えられる背景部の構成例を示す図である。
【図８】本発明の実施形態に係る写真シール作成装置に備えられる編集部の構成例を示す図である。
【図９】本発明の実施形態に係る写真シール作成装置に備えられる事後接客部の構成例を示す図である。
【図１０】本発明の実施形態に係る写真シール作成装置の内部の構成例を示すブロック図である。
【図１１】本発明の 実施形態に係る携帯端末の要部構成を示すブロック図である。
【図１２】本発明の実施形態に係る処理の流れを示すフローチャートである。
【図１３】本発明の実施形態に係る処理の流れを示すシーケンス図である。
【図１４】写真シール作成装置における表示画面の一例を示す図である。
【図１５】写真シール作成装置における表示画面の一例を示す図である。
【図１６】端末装置における表示画面の一例を示す図である。
【図１７】端末装置における表示画面の一例を示す図である。
【図１８】本発明の実施形態に係る処理の流れを示すフローチャートである。
【図１９】写真シール作成装置における表示画面の一例を示す図である。
【図２０】写真シール作成装置における表示画面の一例を示す図である。
【図２１】写真シール作成装置における表示画面の一例を示す図である。
【発明を実施するための形態】
【００１９】
〔実施形態〕
本発明の実施形態について、図１〜図２１を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２０】
（撮影画像管理システム１０）
図２は、本発明の実施形態に係る撮影画像管理システム１０の構成を示す図である。図２に示すように、撮影画像管理システム１０は、写真シール作成装置１、携帯端末（端末装置）６、および管理サーバ（サーバ）４を備えている。
【００２１】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス）をユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００２２】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００２３】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００２４】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００２５】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００２６】
画像提供サイトへの画像保存後、ユーザは、携帯端末６または所望の他の装置を用いて画像提供サイトにログインして、画像をダウンロードすることができる。
【００２７】
（写真シール作成装置の構成）
撮影画像管理システム１０を構成する各装置の構成および機能について、以下に詳細に説明する。まず、写真シール作成装置１の詳細について、図３〜図１０を参照して説明する。図３は、本発明の実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００２８】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００２９】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３０】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００３４】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００３５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３６】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタ（タッチパネル）などの構成が設けられる。なお、以下の説明においては、編集部１２および事後接客部１３が備えるタブレット内蔵モニタのことを、単にタッチパネルと呼称することもある。また、タッチパネルに対しては、ユーザが指で画面をタッチすることによって、又は図示しないペン状のデバイスを用いることによって入力操作が可能であってもよい。
【００３７】
なお、別の態様として、写真シール作成装置１が備える各タッチパネルが単なるディスプレイであり、図示しない物理ボタンやレバー等で入力操作を行う構成でもよい。
【００３８】
図３に示す編集部１２の構成を正面側の構成とすると、２組のユーザが同時に編集することができるように、編集部１２の正面側と背面側には編集制御に用いられる構成がそれぞれ設けられる。
【００３９】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４０】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４１】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００４２】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００４３】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ（タブレット）、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。また、ユーザは、事後接客部１３が備えるタッチパネル１６１を介して、自身のメールアドレスを入力する。なお、本実施形態では、識別コードの表示やメールアドレスの入力は、事後接客部１３が備えるタッチパネル１６１を介して行われるものとして説明するが、これに限定されず、例えば編集部１２が備えるタッチパネル１３１を介して行われる構成でもよい。なお、写真シール作成装置１がユーザによるメールアドレスの入力を受け付けるタイミングは、ユーザによる画像の編集が行われた後に限定されず、写真撮影または画像の編集が行われるよりも前であってもよい。
【００４４】
（ユーザの移動）
写真シール作成ゲームの流れと、それに伴うユーザの移動について図５を参照して説明する。図５は、ユーザの移動について説明する図である。
【００４５】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００４６】
なお、ユーザの画像の撮影においては、すべての撮影がシール紙に印刷される画像を撮影するものとは限らず、携帯端末６に送信するため（または、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００４７】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４８】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００４９】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５０】
画像の印刷が終了したとき、ユーザは、事後接客部１３に設けられた排出口からシール紙を受け取り、一連の写真シール作成ゲームを終えることになる。
【００５１】
（各部材の構成）
次に、写真シール作成装置１に備えられる各部材の構成について説明する。
【００５２】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００５３】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００５４】
正面パネル４１のほぼ中央には撮影・表示ユニット８１が設けられる。撮影・表示ユニット８１は、カメラ９１、正面ストロボ９２、およびタッチパネルモニタ９３から構成される。
【００５５】
カメラ９１は、ＣＣＤ（Charge Coupled Device）またはＣＭＯＳ（Complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００５６】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００５７】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５８】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００５９】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６０】
足元ストロボ８６の右側には、ユーザがお金を投入する硬貨投入返却口８７が設けられる。
【００６１】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００６２】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００６３】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００６４】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６５】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００６６】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００６７】
（事後接客部１３）
編集部１２の左側には事後接客部１３が設けられる。図９は、写真シール作成装置１に備えられる事後接客部１３の構成例を示す図である。
【００６８】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００６９】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７０】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７１】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７２】
スピーカ１６５は、事後接客時の案内音声、ＢＧＭ、効果音等の音を出力する。
【００７３】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００７４】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。
【００７５】
また、制御部２０１は、表示制御部２３１、入力受付部２３２および指示受付部２３３としても機能する。表示制御部２３１は、写真シール作成装置１が備える各ディスプレイ（表示部）、即ち、タッチパネルモニタ９３、並びに編集部１２および事後接客部１３が備えるタッチパネルによる画面表示に係る制御を行う。
【００７６】
入力受付部２３２は、各タッチパネルを介した入力操作を受け付ける。例えば、入力受付部２３２は、各タッチパネルに表示されたＵＩオブジェクトを介して文字列の入力操作や選択操作等を受け付ける。また、ＵＩオブジェクトの具体例については、後述する。
【００７７】
また、制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００７８】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００７９】
通信部２０３はインターネットなどのネットワークのインタフェースであり、制御部２０１による制御に従って外部の装置と通信を行う。
【００８０】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８１】
ＲＯＭ２０６には、制御部２０１において実行されるプログラムおよびデータが記憶されている。ＲＡＭ２０７は、制御部２０１が処理するデータおよびプログラムを一時的に記憶する。
【００８２】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８３】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８４】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８５】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００８６】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００８７】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信しても良い。
【００８８】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００８９】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９０】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９１】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９２】
また、印刷部２１１は、印刷制御に係る処理において、シール紙への撮影画像（または編集画像）の印刷に加え、欄外（シール紙の端部など）に、管理サーバ４へ送信した画像を取得するためのＵＲＬ（Uniform Resource Locater）、および、シールＩＤ（画像取得用ＩＤ）などを印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９３】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９４】
なお、印刷部２１１は、画像を取得するための情報として、ＵＲＬではなく、例えば、所定のメールアドレス、又はＱＲコード（登録商標）、その他の２次元コード、若しくは１次元コード等の識別コードを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００９５】
（管理サーバ４）
次に、管理サーバ４の詳細について、図１を参照して説明する。図１は、本発明の実施形態に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【００９６】
なお、管理サーバ４は、記憶部４０２の会員データベース４２２に格納された会員情報を写真シール作成装置１に定期的に送信してもよい。なお、写真シール作成装置１が、会員情報を定期的にダウンロードしてもよい。この場合、管理サーバ４と写真シール作成装置１とは、通信負荷が比較的少ない午前中や夜間に通信を行い、会員情報を送受信することが望ましい。
【００９７】
（制御部４０１の詳細）
図１に示すように、制御部４０１は、通信制御部４１１、メール作成部４１２、ウェブページ作成部４１３、画像管理部（保存処理部）４１４、および認証部４１５を備えている。
【００９８】
（通信制御部４１１）
通信制御部４１１は、通信部４０３による通信を制御する。
【００９９】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１００】
（ウェブページ作成部４１３）
ウェブページ作成部４１３は、携帯端末６、または、写真シール作成装置１（後述する各種モニタ）に表示されるウェブページを作成する。本実施形態では、ウェブページ作成部４１３は、ウェブページデータベース４２３に格納されているデータを用いて、携帯端末６または写真シール作成装置１から受信したアクセス要求に応じたウェブページを作成し、通信制御部４１１に出力する。詳細は後述するが、ウェブページ作成部４１３は、ユーザの会員種別に応じたウェブページを作成する。
【０１０１】
なお、以下において「ページ」は、例えば、ウェブページのように、管理サーバ４が携帯端末６等の通信端末または写真シール作成装置１に送信して表示するためのデータを意味する。上記ページには、通常、テキストデータおよび画像データが含まれており、さらに、音声データおよび動画データが含まれていてもよい。
【０１０２】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１０３】
（認証部４１５）
認証部４１５は、例えば、画像管理サービスへのログイン時に携帯端末６からユーザ認証の要求を受け付け、ユーザ認証を行うものである。認証部４１５は、携帯端末６から送信された画像データ（認証用撮影画像、ログイン画像）を用いて、予め登録されている会員であるか否かを判定し、画像提供サイトへのアクセス（画像管理サービスへのログイン）、およびユーザのマイページへの未保存画像の保存を行うものであり、画像データ取得部４１５１、特徴量抽出部４１５２、および照合部４１５３を含む。なお、本実施形態では、ログイン画像および個人識別用データとしてユーザの顔画像を想定しているが、これに限られるものではない。後述するように、ユーザの顔画像以外をログイン画像および個人識別用データとしてもよい。
【０１０４】
画像データ取得部４１５１は、通信部４０３を介して携帯端末６から、携帯端末６にて撮影された認証用撮影画像の画像データを取得し、特徴量抽出部４１５２に送信する。
【０１０５】
特徴量抽出部４１５２は、画像データ取得部４１５１から送信された画像データの特徴量を抽出し、照合部４１５３に送信する。
【０１０６】
照合部４１５３は、特徴量抽出部４１５２から送信された画像データの特徴量と、会員データベース４２２に保存されている、ユーザの個人識別用データとを照合する。
照合の手法は、どのような技術を用いて行ってもよいが、例えば、顔の輪郭点が各々一致するか否か比較する、特定の器官の輪郭点（網膜等）が各々一致するかを比較する等が挙げられる。そして、比較の結果、信頼度が閾値以上である場合、送信された画像データの特徴量と、会員データベース４２２に保存されている、ユーザの個人識別用データとが合致すると判断する。そして、特徴量と個人識別用データとが合致する場合、照合部４１５３は、ユーザ認証が成功したと判断し、携帯端末６から画像提供サイトのユーザのマイページへのアクセスを許可（ログイン）するとともに、写真シール作成装置１にて撮影された撮影画像のうち、ユーザのマイページに保存されていない撮影画像を、ユーザのマイページへ保存する指示を画像管理部４１４に送信する。マイページとは、画像提供サイトにおけるユーザ毎の固有のページである。ユーザはマイページにアクセスすることにより、写真シール作成装置１で撮影し、保存した撮影画像を閲覧等することができる。
【０１０７】
一方、特徴量と個人識別用データとが合致しない場合、照合部４１５３は、ユーザ認証が失敗した旨を携帯端末６に通知する。
【０１０８】
なお、ユーザ認証が所定の回数、失敗した場合は、会員ＩＤおよびパスワードによる認証を求めてもよい。または、複数の種類の認証が可能である場合、他の認証方法に認証方法を切り替える操作を行って、当該他の認証方法による認証を求めてもよい。
【０１０９】
（記憶部４０２の詳細）
図１に示すように、記憶部４０２は、メールデータベース４２１、会員データベース４２２、ウェブページデータベース４２３、画像データベース４２４、および画像保存判定データベース４２５を含む。
【０１１０】
（メールデータベース４２１）
メールデータベース４２１は、ユーザに送信するメールを作成するための各種データを格納している。
【０１１１】
（会員データベース４２２）
会員データベース４２２は、画像提供サイトの会員であるユーザに関する各種情報（会員情報）を格納している。図１１に、会員データベース４２２の例を示す。図１１に示すように、本実施形態では、会員データベース４２２には、写真シール作成装置１を利用するユーザを識別する個人識別用データ（例えば顔情報）と、ユーザを特定する情報（ユーザ特定情報）が、ユーザ別に格納されている。ユーザ特定情報としては、例えば、ユーザの会員ＩＤ、メールアドレス、ニックネーム、パスワード、生年月日、住所、会員属性、入会日、および、ユーザが保有する携帯端末の端末ＩＤなどを挙げることができる。また、会員属性としては、例えば、有料会員および無料会員などを挙げることができる。
【０１１２】
（ウェブページデータベース４２３）
ウェブページデータベース４２３は、携帯端末６または写真シール作成装置１（後述する各種モニタ）に表示される画像提供サイトのウェブページを作成するための各種データを格納している。
【０１１３】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１１４】
図示はしないが、記憶部４０２は、写真シール作成装置１から受信した画像などのデータを一時的に保存する一時保存データベースも有している。
【０１１５】
（画像保存判定データベース４２５）
画像保存判定データベース４２５には、写真シール作成装置１によって撮影された撮影画像をユーザがマイページに保存したか否かが記録されている。図１２に画像保存判定データベース４２５の例を示す。図１２に示すように、画像保存判定データベース４２５には、会員ＩＤ、パスワード、メールアドレス、シールＩＤ、シール機で撮影した撮影日時、撮影画像データ、および画像保存の有無が記録されている。例えば、会員ＩＤ「００１」のユーザが撮影した画像データが、Ａ１、Ａ２、Ａ３と３枚あり、そのうちのＡ１をマイページに保存していた場合、図１２に示すように、「撮影画像データ」Ａ１に対応する「画像保存の有無」には保存されていることを示す情報（図１２では○で示す）が記録され、保存されていないＡ２およびＡ３に対応する「画像保存の有無」には保存されていないことを示す情報（図１２では×で示している）が記録される。なお、保存されていない場合は「NULL」と記録し、保存された場合は、当該「NULL」が削除されるものであってもよい。
【０１１６】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１１７】
（携帯端末６）
図１に示すように、携帯端末６は、主に、制御部６０１、記憶部６０８、通信部６０９、および表示部６０７を備えている。制御部６０１は、携帯端末６に備えられる各部材を統括制御する。記憶部６０８は、携帯端末６において使用される各種データを記憶する。通信部６０９は、撮影画像管理システム１０を構成する他の装置と通信する。
【０１１８】
表示部６０７は、画面を表示し、ユーザが携帯端末６に情報を入力するためのタッチパネルとしても機能する。
【０１１９】
また、制御部６０１は、通信制御部６０３および表示制御部６０２としても機能する。通信制御部６０３は、通信部６０９による通信を制御する。表示制御部６０２は、表示部６０７における情報表示を制御する。たとえば、通信制御部６０３から入力されたウェブページを、表示制御部６０２が表示部６０７に出力することによって、当該ウェブページを表示部６０７に表示させることができる。また、制御部６０１は、携帯端末６が備える図示しないカメラの制御に係る処理を行う。
【０１２０】
（メールアドレスの送信例）
本例では、写真を撮影して編集し、写真シールを出力するサービスを提供する写真シール作成装置１であって、タッチパネル（表示部）１６１と、表示制御部２３１とを備え、表示制御部２３１は、前記サービスにおいて撮像された写真を特定するための第１の情報を含む識別コードをタッチパネル１６１に表示させ、前記識別コードは、当該識別コードを読み取った端末装置（携帯端末）６の表示画面を、第１の情報を含む第２の情報であって、端末装置６を有するユーザを特定するための第２の情報を写真シール作成装置１に関連付けられたサーバ（管理サーバ）４に対して送信するための画面に遷移させるためのものであることを特徴とする写真シール作成装置１における処理の一例についてステップごとに説明する。上記の写真シール作成装置１の構成によれば、ユーザを特定するための第２の情報が写真シール作成装置１に関連付けられたサーバ４に送信される一連の工程において、第２の情報を写真シール作成装置１に入力せずともよく、ユーザの負担を軽減することができる。
【０１２１】
また、本実施形態において第１の情報とは、写真シール作成装置１によって撮像された写真に一意に割り当てられた文字列であるものとして説明するが、これに限定されず、例えば識別コードそのものであってもよい。また、第２の情報とは、メールであるものとして説明するが、これに限定されるものではない。第２の情報がメール以外である場合の例については後述する。
【０１２２】
図１３は、本例に係る処理の流れを示すシーケンス図である。なお、図１３のシーケンス図に基づく処理は、例えばユーザが写真シール作成装置１を用いて写真を撮像して編集を行った後等に続いて開始される。
【０１２３】
ステップＳ１０１において、表示制御部２３１は、写真シール作成装置１に対するメールアドレスの入力を行うか、写真シール作成装置１に関連付けられたサーバ４に対してメールを送信することによってメールアドレスの送信を行うかの選択肢をタッチパネル１６１に表示させる。
【０１２４】
図１４は、上記画面の一例を示す図である。図１４に示す画面において、ボタン３０１は、写真シール作成装置１に対するメールアドレスの入力を選択するためのボタンである。なお、本明細書において、画面に表示された各ボタンはＵＩオブジェクトの一例である。ボタン３０３は、端末装置６の表示画面をメールの送信画面に遷移させるための識別コードを表示させるためのボタンである。ボタン３０５は、現時点においてサーバ４にメールアドレスを送信しないことを選択するためのボタンである。
【０１２５】
ステップＳ１０２において、制御部２０１は、ボタン３０１に対する選択またはボタン３０３に対する選択がなされたかを判定する。制御部２０１が、ボタン３０１が選択されたと判定した場合、続いてステップＳ１０２の処理が実行され、ボタン３０３が選択されたと判定した場合、続いて図１８のフローチャートに基づく処理が開始される。当該処理の詳細については後述する。なお、制御部２０１がボタン３０５に対する選択が行われたと判定した場合、表示制御部２３１は、図１４に示す画面の表示を終了させ、また、図１３のフローチャートに基づく処理が終了する。
【０１２６】
ステップＳ１０３において、表示制御部２３１は、識別コードをタッチパネル１６１に表示させる。また、上記識別コードは、当該識別コードを読み取った端末装置６の表示画面を、撮像された写真を特定するための情報を含むメールをサーバ４に対して送信するための画面に遷移させるためのものである。
【０１２７】
図１５は、本ステップにおいてタッチパネル１６１に表示される画面の一例を示すである。図１５に示す画面において、オブジェクト３１１は、上述した識別コードを示している。また、ボタン３１３は、図１４に示す画面に戻るためのボタンである。つまり、ボタン３１３が選択された場合、ステップＳ１０１からの処理が再度実行される。また、ボタン３１５は、識別コードの表示を終了するためのボタンである。ボタン３１５が選択された場合、図１３のフローチャートに基づく写真シール作成装置１における処理が終了する。
【０１２８】
ステップＳ１０４において、制御部６０１は、カメラを駆動させて識別コードに含まれる情報の読み取りを行う。ここで、識別コードには、少なくとも写真シール作成装置１で撮像された写真を特定するための情報と、メールの送信先を示す情報が含まれるページのアドレスを示す情報とが含まれる。また、通信制御部６０３は、上記ページの送信を要求することを示す情報を、通信部６０９を介してサーバ４に送信する。換言すると、端末装置６は、上記ページへのアクセスを試みる。
【０１２９】
ステップＳ１０５において、通信制御部４１１は、例えば記憶部４０２から読みだした上記ページを示す情報を、通信部４０３を介して携帯端末６に対して送信する。
【０１３０】
ステップＳ１０６において、表示制御部６０２は、上記ページを表示部６０７に表示させる。図１６は、上記ページの一例を示す図である。図１６のボタン３２１が選択された場合、制御部６０１はメールを送信する機能を有するメーラーを起動し、表示制御部６０２は、メーラーの動作画面を表示部６０７に表示させる。図１７は、メーラーの動作画面の一例を示す図である。
【０１３１】
図１７に示す画面において、オブジェクト３３１は、メールの送信先を示している。また、上記メールは、直接的または間接的にサーバ４に送信される。テキスト３３３は、メールの件名を示している。テキスト３３５は、撮像された写真を特定するための文字列であって、上述した第１の情報の一例である。図１７に示すメーラーの動作画面によって送信されるメールに例示するように、第２の情報は、件名、本文、又は送信先となるアドレスの少なくとも何れかに第１の情報が含まれるメールであってもよい。オブジェクト３３７は、文字入力を行うためのボタンである。オブジェクト３３９は、メールを送信するためのボタンである。ボタン３３９に対する選択が行われた場合、上記メールがサーバ４に送信され、続いてステップ１０７の処理が実行される。
【０１３２】
ステップＳ１０７において、通信制御部４１１は、撮像された写真を画像提供サイトに保存することを提示するためのメールを、通信部４０３を介して端末装置６に送信する。なお、上記メールの送信先は、ステップ１０６においてサーバ４が受信したメールの送信元となるメールアドレスによって特定されるユーザが利用可能な端末装置６であると言える。これにより、ユーザがメールアドレスを入力する負担を軽減できる。また、上記メールは、例えば、制御部４０１が端末装置６から送信されたメールを照合して、また、記憶部４０２に格納された情報を参照して生成したものであってもよい。また、上記メールには、例えば画像提供サイトのＵＲＬ等が含まれていてもよい。
【０１３３】
なお、本ステップＳ１０７においてサーバ４から端末装置６に送信されるメールであって、撮像された写真の保存を提示するためのメールは第３の情報の一例である。別の態様として、本ステップＳ１０７においては、サーバ４から端末装置６に第３の情報として、撮像された写真の保存を提示するための情報が例えば端末装置６にインストールされた所定のアプリケーションを介して送信されてもよい。
【０１３４】
また、特に、第３の情報、又は第３の情報を参照してログインすることなく遷移可能な画面に、撮像された写真を特定可能な情報が含まれる場合には、第１の情報は十分に冗長且つ複雑な方がより好ましい。
【０１３５】
（メールアドレスの入力画面例）
本例では、写真を撮影して編集し、写真シールを出力するサービスを提供する写真シール作成装置１であって、タッチパネル（表示部）１６１と、ユーザの入力操作を受け付ける入力受付部２３２と、メールアドレスのドメインパートを選択するための第１の画面と、メールアドレスのローカルパートを入力するための第２の画面とを、互いに異なるタイミングでタッチパネル１６１に表示させる表示制御部２３１とを備え、第１の画面は、各ドメインに対応する１又は複数の第１のＵＩオブジェクトを所定の領域内に含み、且つ、メールを受信可能な端末装置６の種別に対応する複数の第２のＵＩオブジェクトを含み、表示制御部２３１は、入力受付部２３２が第２のＵＩオブジェクトに対する選択を受け付けた場合に、前記所定の領域に含まれる１又は複数の第１のＵＩオブジェクトを、前記選択された第２のＵＩオブジェクトに対応する種別の端末装置６において利用され得るドメインに対応するものに切り替えて表示する写真シール作成装置１における処理の一例についてステップごとに説明する。上記の写真シール作成装置１の構成によれば、ユーザを特定するメールアドレスが写真シール作成装置１に関連付けられたサーバ４に送信される一連の工程において、容易にメールアドレスの入力が可能となり、ユーザの負担を軽減することができる。なお、メールアドレスのローカルパートとは、メールアドレスのドメインパートの直前の記号（通常は「＠」）よりも前の部分を意味する。
【０１３６】
図１８は、本例に係る処理の流れを示すフローチャートである。図１８のフローチャートに基づく処理は、例えば上述したように、ステップＳ１０２において制御部２０１が図１４のボタン３０１が選択されたと判定した場合等に開始されてもよい。
【０１３７】
ステップＳ２０１において、表示制御部２３１は、ユーザが利用可能なメールアドレスのドメインの選択画面をタッチパネル１６１に表示させる。図１９は、上記画面の一例を示す図である。また、図１９に示す画面は、第１の画面の一例である。図１９に示す画面において、オブジェクト３４１は、現在の表示画面がメールアドレスの入力に関する複数の画面のうちの何れの画面であるかを示している。
【０１３８】
ボタン３４３は、メールを受信可能な端末装置６の種別に対応するボタンである。領域３４５には、１又は複数のボタン３４７が含まれる。ボタン３４７は、メールアドレスの各ドメインに対応するボタンである。また、複数のボタン３４３は、ユーザに選択されるよりも前から、何れか１つが選択された状態であってもよい。なお、ボタン３４３は、図１９に例示するようにタブとして表現されていてもよいし、そうでなくともよい。
【０１３９】
また、領域３４５には、選択中のボタン３４３に対応する種別の端末装置６において利用可能なドメインのみに対応するボタン３４７が含まれる。図１９に示す例においては、機種「pPhone」に対応するボタン３４３が選択されており、領域３４５には、「pPhone」で利用可能なドメインのみに対応するボタン３４７が含まれている。
【０１４０】
なお表示制御部２３１は、領域３４５に含まれるボタン３４７を、対応するドメインが市場におけるシェアの高い順番になるようにタッチパネル１６１に表示させてもよい。ここで、市場におけるシェアとは、例えば有効なメールアドレスの多寡や、所定期間において市場で使用された合計回数等によって規定されるものであってもよい。これにより、多くのユーザは自身が利用しているメールアドレスのドメインに対応するボタン３４７を発見しやすくなる効果を奏する。
【０１４１】
ステップＳ２０２において、制御部２０１は、現時点において選択されていない何れかのボタン３４３が選択されたか否か、即ち領域３４５に含まれる各ドメインに対応するボタンの変更が指示されたか否かを判定する。制御部２０１が、現時点において選択されていない何れかのボタン３４３が選択されたと判定した場合、続いてステップＳ２０３の処理が実行され、選択されていないと判定した場合、続いてステップＳ２０４の処理が実行される。
【０１４２】
ステップＳ２０３において、表示制御部２３１は、領域３４５に含まれるボタン３４７を、選択されたボタン３４３に対応する種別の端末装置６で利用可能なドメインのみに対応するものに切り替えて表示させる。
【０１４３】
ステップＳ２０４において、制御部２０３は、各ドメインに対応するボタン３４７のうちの何れかが選択されたか否かを判定する。制御部２０３が、何れかのボタン３４７が選択されたと判定した場合、続いてステップＳ２０５の処理が実行され、選択されていないと判定した場合、本ステップＳ２０４において、何れかのボタン３４７に対する選択を待機する処理が継続される。
【０１４４】
ステップＳ２０５において、表示制御部２３１は、メールアドレスのローカルパートの入力を促す画面をタッチパネル１６１に表示させる。図２０は、上記画面の一例を示す図である。また、図２０に示す画面は、第２の画面の一例である。図２０に示す画面において、オブジェクト３５１は、入力中のローカルパートが表示されるテキストエリアを示している。ボタン３５３は、テキストの入力を行うためのキーボードである。ボタン３５５は、ボタン３５３のキー配列をキーボード配列にするためのボタンである。ボタン３５７は、ボタン３５３が示すキーボードの配列をａｂｃ順にするためのボタンである。また、ボタン３５５およびボタン３５７は、ユーザに選択されるよりも何れか一方が選択された状態をとっていてもよく、図２０に示す例においては、ボタン３５５が選択されている。ボタン３５８は、図１９に示す画面に戻るためのボタンである。つまりボタン３５８が選択された場合、ステップＳ２０１からの処理が再度実行される。ボタン３５９は、メールアドレスのローカルパートの入力を終了するためのボタンであるまた、図２０に例示する画面にも、オブジェクト３４１が含まれている。このように、表示制御部２３１は、第１の画面に表示中の画面が第１の画面であることを示す情報を表示させ、且つ、第２の画面に表示中の画面が第２の画面であることを示す情報を表示させてもよい。これにより、写真シール作成装置１において表示されている画面が何れの画面であるかをユーザが容易に把握することができる。
【０１４５】
ステップＳ２０６において、制御部２０１は、ボタン３５９が選択されたか否か、即ちメールアドレスのローカルパートの入力を終了する指示がなされたか否かを判定する。制御部２０１が、ボタン３５９が選択されたと判定した場合、続いてステップＳ２０７の処理が実行され、選択されていないと判定した場合、或いはローカルパートに一文字も入力されていないと判定した場合、本ステップＳ２０６において、ローカルパートの入力を受け付け、ボタン３５９に対する選択を待機する処理が継続される。
【０１４６】
ステップＳ２０７において、表示制御部２３１は、メールアドレスの入力が完了したことを示す画面をタッチパネル１６１に表示させる。図２１は、上記画面の一例を示す図である。図２１に示す画面においては、例えば領域３６１に、ユーザが入力したメールアドレス、又は入力済みのメールアドレスに送信されるメール文等が表示されてもよい。また、図２１に例示する画面が表示される前に例えばメールアドレスの確認画面等が表示されてもよい。
【０１４７】
〔変形例〕
図１３のステップＳ１０１およびステップＳ１０２の処理が実行されることは必須ではない。即ち、写真シール作成装置１に対するメールアドレスの入力を行うか、写真シール作成装置１に関連付けられたサーバ４に対してメールを送信することによってメールアドレスの送信を行うかが事前に定められている構成でもよい。
【０１４８】
また、ステップＳ１０４において端末装置６が識別コードの読み取りを行った場合、サーバ４との通信処理を経ずに図１６又は図１７に相当する画面が表示されてもよい。換言すれば、識別コードは、当該識別コードを読み取った端末装置６の表示画面を、図１６または図１７に例示する画面であって、第２の情報を送信するための画面に直接的に遷移させるものであってもよい。
【０１４９】
また、ステップＳ１０４においてタッチパネル１６１に表示される識別コードは、端末装置６にインストールされた所定のアプリケーションであって、ＳＮＳ（Social Networking Service）等の所定のサービスにログインが可能なアプリケーションを介して読み取られた場合に、端末装置６の表示画面を、ユーザを特定するための情報として前記ログインに使用されるアカウントＩＤを含む第２の情報をサーバ４に送信するための画面に遷移させるためのものであってもよい。これにより、所定のサービスのアカウントＩＤをサーバ４に送信するための写真シール作成装置１を実現できる。また、上記の構成において、サーバ４は、所定のサービスを介して、上記アカウントＩＤを有するアカウントに対して撮像された写真の保存を提示するための第３の情報を提示してもよい。
【０１５０】
また、図１８のフローチャートに基づくメールアドレスの入力は、複数人が並行して可能であってもよい。具体的には、表示制御部２３１は、メールアドレスの入力を行う各ユーザに対応する第１の画面および第２の画面の何れかを、タッチパネル１６１に複数同時に表示させ、入力受付部２３２は、複数のユーザの入力操作を並行して受け付ける構成でもよい。これにより、少ない負担で複数のユーザが同時にメールアドレスを入力可能な写真シール作成装置１を実現できる。また、複数人のそれぞれが、写真シール作成装置１に対するメールアドレスの入力を行うか、サーバ４に対してメールを送信することによってメールアドレスの送信を行うかが選択可能であってもよい。つまり、表示制御部２３１は、図１５に例示する識別コードと、図１９〜図２１に例示するメールアドレスの入力画面とを、タッチパネル１６１に複数同時に表示させてもよい。
【０１５１】
また、画像管理サービス等の所定のサービスは、専用に作成されたアプリケーションであって、携帯端末６にインストールされたアプリケーションを介して利用されるものであってもよいし、例えば、汎用のブラウザを介して利用されるものであってもよい。また、所定のサービスを実現するサーバ４は、アプリケーションサーバとして機能してもよいし、ウェブサーバとして機能してもよい。また、画像提供サイトに対しては、任意のパソコン等からログインが可能であってもよい。
【０１５２】
〔ソフトウェアによる実現例〕
管理サーバ４の制御ブロック（特に通信制御部４１１、メール作成部４１２、ウェブページ作成部４１３、画像管理部４１４および認証部４１５）および携帯端末６の制御ブロック（特に表示制御部６０２および通信制御部６０３）は、集積回路（ＩＣチップ）等に形成された論理回路（ハードウェア）によって実現してもよいし、ソフトウェアによって実現してもよい。
【０１５３】
後者の場合、管理サーバ４および携帯端末６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１５５】
１  写真シール作成装置
４  管理サーバ（サーバ）
６  携帯端末（端末装置）
１０  撮影画像管理システム
１６１  タブレット内蔵モニタ（タッチパネル、表示部、ディスプレイ）
２３１  表示制御部
２３２  入力受付部
６０１  制御部
６０２  表示制御部
６０７  表示部
【図１】
2020201585.tif 000003
【図２】
2020201585.tif 000004
【図３】
2020201585.tif 000005
【図４】
2020201585.tif 000006
【図５】
2020201585.tif 000007
【図６】
2020201585.tif 000008
【図７】
2020201585.tif 000009
【図８】
2020201585.tif 000010
【図９】
2020201585.tif 000011
【図１０】
2020201585.tif 000012
【図１１】
2020201585.tif 000013
【図１２】
2020201585.tif 000014
【図１３】
2020201585.tif 000015
【図１４】
2020201585.tif 000016
【図１５】
2020201585.tif 000017
【図１６】
2020201585.tif 000018
【図１７】
2020201585.tif 000019
【図１８】
2020201585.tif 000020
【図１９】
2020201585.tif 000021
【図２０】
2020201585.tif 000022
【図２１】
2020201585.tif 000023